(57)【特許請求の範囲】
【請求項１】
洗浄液を吐出する洗浄液吐出装置であって、
吐出口部を有する吐出口部材を内部に有する装置本体と、
前記装置本体を取付面に固定する筒状の固定部材と、
前記固定部材内に挿通され、洗浄液を前記吐出口部材に供給する洗浄液供給管と、
前記洗浄液供給管に接続され、洗浄液を前記装置本体に圧送する洗浄液ポンプと、
前記吐出口部材と前記洗浄液供給管とを接続する接続部材と、を備え、
前記吐出口部材と前記接続部材との接続領域の少なくとも一部は、前記固定部材内に配
置され、
前記洗浄液ポンプは、前記固定部材の外側に配置され、
前記装置本体は、前記吐出口部材及び前記取付面に対し表側に配置される前記固定部材を覆う本体ケースを有し、
前記本体ケースの基端部は、前記取付面に当接しており、
前記吐出口部材と前記接続部材との接続領域の少なくとも一部は、前記本体ケースの基端よりも奥側に配置される洗浄液吐出装置。
【請求項２】
前記接続部材と前記洗浄液供給管との接続領域の少なくとも一部は、前記取付面よりも
奥側に配置される請求項１に記載の洗浄液吐出装置。
【請求項３】
前記固定部材内に挿通され、泡を形成するために前記洗浄液供給管により供給される洗
浄液と混合される空気を前記接続部材に供給する空気供給管をさらに備え、
前記接続部材と前記空気供給管との接続領域の少なくとも一部は、前記取付面よりも奥
側に配置される請求項１又は２に記載の洗浄液吐出装置。
【発明の詳細な説明】
【技術分野】
【０００１】
本発明は、洗浄液吐出装置に関する。
【背景技術】
【０００２】
従来、公共施設のトイレや洗面所に設置される手洗装置では、使用者が手を差し出すと自動で手洗装置のボウル部に向けて洗浄液の吐出動作を行う洗浄液吐出装置が設けられている。このような洗浄液吐出装置は、センサ等の検知手段で物体を検知し、その検知信号に応じてポンプ等の駆動手段を制御することで吐出動作を行うものである。
【０００３】
このような洗浄液吐出装置において、装置本体は固定部材により壁や台等の取付面に固定されており、装置本体と洗浄液を貯留するタンクとは、洗浄液が流通するチューブ等の供給管で接続されている。このような供給管と装置本体との接続箇所や、供給管が接続される部材と吐出口が形成された他の部材との接続箇所は、固定部材よりも手前側に位置していた（例えば、後述の特許文献１参照）。
【先行技術文献】
【特許文献】
【０００４】
【特許文献１】特許第４６５１４２６号公報
【発明の概要】
【発明が解決しようとする課題】
【０００５】
しかし、特許文献１に記載された洗浄液吐出装置は、固定部材よりも手前側に内部構成部品を全て含めて洗浄液吐出装置を構成することとなるため、装置本体の形状としては、取付面からの延出長さを長くせざるを得ない。また、該延出長さを短くしようとすれば、吐出口形成のため曲部を設けざるを得ない等、形状選択上の制限があり、装置本体の意匠性を低下させる結果となる。
【０００６】
本発明は上記に鑑みてなされたものであり、その目的は、装置形状を従来よりもコンパクトな形状にすることができ、意匠性に優れた外観を有する洗浄液吐出装置を提供することにある。
【課題を解決するための手段】
【０００７】
本発明は、吐出口部（例えば、後述の吐出口部２１１）を有する吐出口部材（例えば、後述の吐出口部材２１）を内部に有する装置本体（例えば、後述の装置本体２０ａ）と、前記装置本体を取付面（例えば、後述の取付面Ｗ１）に固定する筒状の固定部材（例えば、後述の固定部材２４）と、前記固定部材内に挿通され、洗浄液を前記吐出口部材に供給する洗浄液供給管（例えば、後述の洗浄液供給管６０）と、前記吐出口部材と前記洗浄液供給管とを接続する接続部材（例えば、後述の接続部材２２）と、を備え、前記吐出口部材と前記接続部材との接続領域（例えば、後述の接続領域Ｃ１）の少なくとも一部は、前記固定部材内に配置される洗浄液吐出装置（例えば、後述の洗浄液吐出装置２０）に関する。
【０００８】
前記装置本体は、前記吐出口部材を覆う本体ケース（例えば、後述の本体ケース２５）を有し、前記吐出口部材と前記接続部材との接続領域の少なくとも一部は、前記本体ケースの基端（例えば、後述の基端２５ｂ）よりも奥側に配置されることが好ましい。
【０００９】
前記接続部材と前記洗浄液供給管との接続領域（例えば、後述の接続領域Ｃ２）の少なくとも一部は、前記取付面よりも奥側に配置されることが好ましい。
【００１０】
前記固定部材内に挿通され、泡を形成するために前記洗浄液供給管により供給される洗浄液と混合される空気を前記接続部材に供給する空気供給管（例えば、後述の空気供給管７０）をさらに備え、前記接続部材と前記空気供給管との接続領域（例えば、後述の接続領域Ｃ２ａ）の少なくとも一部は、前記取付面よりも奥側に配置されることが好ましい。
【発明の効果】
【００１１】
本発明によれば、装置形状を従来よりもコンパクトな形状にすることができ、意匠性に優れた外観を有する洗浄液吐出装置を提供できる。
【図面の簡単な説明】
【００１２】
【図１】本発明の一実施形態に係る手洗装置の全体斜視図である。
【図２】上記実施形態に係る洗浄液吐出装置の機能を示すブロック図である。
【図３】上記実施形態に係る洗浄液吐出装置の正面図である。
【図４】図３におけるＡ−Ａ断面図である。
【図５】図３におけるＢ−Ｂ断面図である。
【発明を実施するための形態】
【００１３】
以下、本発明の一実施形態について、図面を参照しながら説明する。なお、本発明は以下の実施形態に限定されるものではない。
本実施形態に係る洗浄液吐出装置は、例えば鉄道の駅等の公共施設のトイレや洗面所に設置される手洗装置に自動水栓等の吐水装置と共に設置され、人の手等の物体をセンサで検知し、その検知信号に基づいて自動的に水石けん等の洗浄液の吐出を行うものである。
【００１４】
図１は、本発明の一実施形態に係る洗浄液吐出装置が設けられた手洗装置１の全体斜視図である。
図１に示すように、本実施形態に係る手洗装置１は、吐水装置１０と、洗浄液吐出装置２０と、ボウル３０と、台４０と、を備える。
また、本実施形態に係る手洗装置１は、複数の併設された同一種類の手洗装置のうちの一つである。
【００１５】
吐水装置１０は、吐水装置本体１０ａの先端側に、物体を検知するセンサ１１と、吐水口１２と、を有する。吐水装置１０は、人の手等の物体がセンサ１１の検知範囲内に入ることでセンサ１１が物体を検知すると、自動的に吐水口から水（あるいは湯）を吐出する。
【００１６】
洗浄液吐出装置２０は、洗浄液吐出装置本体２０ａの先端側に、物体を検知するセンサ２３と、吐出口に接続された吐出口キャップ２１２と、とを有する。洗浄液吐出装置２０は、人の手等の物体がセンサ２３の検知範囲内に入ることでセンサ２３が物体を検知すると、自動的に吐出口キャップ２１２から水石けん等の洗浄液を吐出する。なお、この洗浄液吐出装置２０の構成については、後段で詳述する。
【００１７】
ボウル３０は、吐水装置１０から吐水され手洗いに使用された水や、洗浄液吐出装置２０から吐出され手洗いに使用された水石けん等の洗浄液を受けて排出する。ボウル３０の上面にはボウル部本体３１が形成され、ボウル部本体３１の中央の窪みには排水口３２が形成されている。排水口３２は、図示しない排水管と連通している。手洗いに使用され、ボウル３０に吐出された水や洗浄液は排水口３２に導かれ、排水口３２から排水管を通じて下水道等の外部に排出される。
【００１８】
台４０は、ボウル３０の下部に設けられ、図示しない排水管やその他の配管等の設備機器を被覆する。台４０は、その内部が視認されることや、台４０内に配置される設備機器が触れられることを防ぐ。
【００１９】
図２は、本実施形態に係る洗浄液吐出装置２０の機能を示すブロック図である。以下、図２を用いて本実施形態に係る洗浄液吐出装置２０の構成について説明する。
【００２０】
図２に示す通り、洗浄液吐出装置２０は、先端側に吐出口キャップ２１２と、人の手等の物体を検知するセンサ２３と、を備える洗浄液吐出装置本体２０ａ（以下、「装置本体２０ａ」という）と、洗浄液供給管６０と、空気供給管７０と、制御部８０と、を有する。
吐出口キャップ２１２は、洗浄液吐出装置２０の吐出口部に接続される部材であり、洗浄液と空気が混合されることで形成される泡を先端部から吐出する。センサ２３は、後述する制御部８０と電気的に接続されており、物体を検知すると検知信号を制御部８０に送信する。
【００２１】
洗浄液供給管６０は、水石けん等の洗浄液が流通する管であり、その下流側端部は装置本体２０ａに接続され、上流側端部は洗浄液を貯留する洗浄液タンク６１に接続されている。なお、図２上、洗浄液タンク６１は単一の装置本体２０ａに接続されているが、パブリック用途であるため実際には複数の装置本体２０ａに接続される。
また、洗浄液供給管６０には洗浄液ポンプ６２が接続されている。洗浄液ポンプ６２は、後述の制御部８０と電気的に接続されており、制御部８０から送信される制御信号に基づいて洗浄液タンク６１に貯留された水石けん等の洗浄液を装置本体２０ａに圧送して供給する。
【００２２】
空気供給管７０は、洗浄液吐出装置本体２０ａに洗浄液の泡を形成するための空気を供給する管であり、その下流側端部は装置本体２０ａに接続され、上流側端部はエアポンプ７１に接続されている。エアポンプ７１はモータ等の駆動部を有し、駆動部を駆動させることで空気を圧縮し、空気供給管７０を通じて空気を下流側に圧送する。エアポンプ７１は後述の制御部８０と電気的に接続されており、制御部８０から送信される制御信号に基づいて空気を洗浄液吐出装置２０本体に供給する。
【００２３】
制御部８０は、マイコン等を搭載した回路基板により構成される。制御部８０は、センサ２３からの検知信号に基づき洗浄液ポンプ６２及びエアポンプ７１に制御信号を送信し、装置本体２０ａへの洗浄液及び空気の供給の有無を切り替えるように制御する。具体的には、制御部８０は、一度センサ２３から検知信号を受信すると洗浄液ポンプ６２及びエアポンプ７１を所定時間動作させ、動作終了後、一定時間はセンサ２３から検知信号を受信しても洗浄液ポンプ６２及びエアポンプ７１の動作を行わないような制御を行う。
【００２４】
次に、図３〜図５を用いて本実施形態に係る洗浄液吐出装置２０の内部構造について詳しく説明する。
図３は、洗浄液吐出装置２０の正面図である。
図４は、図３におけるＡ−Ａ断面図であり、図５は、図３におけるＢ−Ｂ断面図である。
【００２５】
図４及び図５に示す通り、洗浄液吐出装置２０は、吐出口部材２１と、接続部材２２と、センサ２３と、固定部材本体２４１及びナット２４２を含む固定部材２４と、本体ケース２５と、洗浄液供給管６０と、空気供給管７０と、を備える。
また、装置本体２０ａは、このうち吐出口部材２１と、本体ケース２５と、を含む。
【００２６】
吐出口部材２１は、先端に吐出口部２１１が形成され、内部に洗浄液（空気と混合された泡状のものを含む）の流通路２１５を有する。また、吐出口部材２１は、後述のセンサ２３を保持するセンサ収容部２１４を有する樹脂製の部材である。
吐出口部２１１は流通路２１５に通じる筒状に形成された箇所であり、先端に吐出口キャップ２１２が接続される。吐出口部２１１の外周にはＯリング２１１ａが装着され、吐出口キャップ２１２はＯリング２１１ａを介して吐出口部２１１と完全に密着するため洗浄液の液漏れが防止される。
また、吐出口部材２１は、後述の接続部材２２と接続される。吐出口部材２１における吐出口部材２１と接続部材２２との接続部２１３は流通路２１５に通じる筒状に形成された箇所であり、外周にはＯリング２１３ａが装着されている。吐出口部材２１はＯリング２１３ａを介して接続部材２２と完全に密着するため洗浄液の液漏れが防止される。
【００２７】
以上説明した構成を有する吐出口部材２１によれば、洗浄液は接続部材２２との接続部２１３を通じて吐出口部材２１に供給され、吐出口部材２１内の流通路２１５を通じて吐出口部２１１から吐出口キャップ２１２側に供給される。
なお、流通路２１５は内部で屈曲した構造を有し、接続部２１３に通じる水平方向に延びる上流側の流路と、吐水口キャップ２１２に通じる斜め下方向に延びる下流側の流路とからなる。従って、吐出口部２１１や吐出口キャップ２１２に曲部を設けることなく、即ち、装置本体や吐出口に曲部を設けることなく、洗浄液を斜め下方向に吐出することができる。
【００２８】
また、吐出口部材２１には後述のセンサ２３を収容して保持するセンサ収容部２１４が設けられる。センサ収容部２１４は後述の本体ケース２５における傾斜面部２５ａにおいて開口するように形成され、センサ２３とほぼ同じ形状及び大きさの凹部形状を有する。センサ収容部２１４にセンサ２３が挿入されることでセンサ２３は吐出口部材２１内に保持される。
また、センサ収容部２１４は、傾斜面部２５ａから基端側に向かい上方に傾斜しており、その水平方向に対する傾斜角度は吐出口キャップ２１２の水平方向に対する傾斜角度とほぼ等しい。従って、後述するセンサ２３からの出射光の出射角度と、吐出口キャップ２１２から吐出される洗浄液の吐出角度とはほぼ等しい。
【００２９】
接続部材２２は、上流側に洗浄液供給管６０及び空気供給管７０が接続され、下流側に吐出口部材２１が接続され、内部に洗浄液及び空気の流通路を有する樹脂製の部材である。また、接続部材２２は、洗浄液供給管６０及び空気供給管７０との接続箇所の下流側に洗浄液と空気を混合させる混合部２２１を備える。
【００３０】
接続部材２２における、接続部材２２と、洗浄液供給管６０との接続部２２３ａは、洗浄液供給管６０の内径に応じた凸部形状を有し、洗浄液供給管の内周部と係合することで洗浄液供給管６０と接続される。
また、接続部材２２と、空気供給管７０とは、接続部２２３ｂにおいて継手７２を介して接続される。接続部材２２と継手７２とは、継手７２の一方の外周と接続部２２３ｂが螺合することで接続される。
【００３１】
また、接続部材２２における、接続部材２２と吐出口部材２１との接続部２２２は、嵌合部２２２ａを有し、嵌合部２２２ａが吐出口部材２１の接続部２１３の外周に形成された溝部２１３ｂと嵌合することで、吐出口部材２１と接続部材２２とが接続される。
【００３２】
接続部材２２には、洗浄液供給管６０により洗浄液が供給され、空気供給管７０により空気が供給される。接続部材２２に供給された洗浄液及び空気は、混合部２２１において混合され、泡状となった洗浄液が吐出口部材２１側に供給される。
【００３３】
なお、吐出口部材２１に形成された吐出口部２１１の口径は洗浄液の吐出に勢いをつけるため、ある程度の狭さを要する。一方、接続部材２２に形成される混合部２２１は洗浄液と空気を混合させるため、ある程度の広さを有する空間を要する。即ち、これらの大きさの関係上、吐出口部材２１及び接続部材２２を一体の部材として成型することは困難であり、これらの樹脂部材は通常、本実施形態におけるように、個別に成型した後に接続して使用される。
【００３４】
センサ２３は、赤外線センサや光電センサ、電波センサ等人の手等の物体が検知範囲内に入ることで人の手等の物体を検知するセンサであり、本実施形態においては発光部と受光部を有する赤外線式測距センサが用いられる。赤外線式測距センサは、発光部から光を出射し、出射した光による人の手等の被検知物からの反射光を受光部で受光し、所定の検知範囲内に被検知物があるか否かを検知する。
センサ２３は、略直方体形状を有し、吐出口部材２１に設けられたセンサ収容部２１４に収容される。センサ２３は、発光部から発光する光及び受光部により受光する光が通過する光透過面２３１を有し、センサ２３は吐出口部材２１に収容された状態において光透過面２３１のみが、後述の傾斜面部２５ａの一部を構成する化粧カバー２５ａ１の開口から外部に露出する。
【００３５】
固定部材２４は、装置本体２０ａを壁Ｗ等に固定する部材であり、固定部材本体２４１と、ナット２４２と、を含む。
固定部材本体２４１は、雄ねじ部が外周側に形成された円筒部２４１ａと、円筒部２４１ａよりも大きな外径を有するフランジ部２４１ｂとからなる金属製の部材である。固定部材本体２４１は、円筒部２４１ａとフランジ部２４１ｂの端部においてそれぞれ開口する中空部分を内部に有する。該中空部分を介し、洗浄液供給管６０及び空気供給管７０が装置本体２０ａに挿通される。
【００３６】
ナット２４２は内側に固定部材本体２４１の雄ねじ部と螺合可能な雌ねじ部が形成された円環状の金属部材であり、固定部材本体２４１と螺合させて固定部材本体２４１のフランジ部２４１ｂとの間に壁Ｗを挟み込み、締め付けることで洗浄液吐出装置２０は壁Ｗに固定される。また、ナット２４２は後述の止めネジ２５１により装置本体２０ａと係合する。
ナット２４２と壁Ｗとの間にはワッシャー２４３が挿入される。ワッシャー２４３は略円形の開口部を有する部材であり、固定部材本体２４１の円筒部２４１ａに装着可能な部材である。ワッシャー２４３は固定部材本体２４１の円筒部２４１ａに装着され、ナット２４２と壁Ｗとの間に挿入されることでナット２４２の回転が防止される。
【００３７】
本体ケース２５は、先端部に傾斜面部２５ａを有する略円筒状の金属部材であり、吐出口部材２１等、取付面Ｗ１に対し表側に配置される部材を覆い、内部に収容する。本体ケース２５は、止めネジ２５１がナット２４２と係合することにより固定される。
本体ケース２５の先端部における傾斜面部２５ａ及び基端部２５ｂは開口しており、傾斜面部２５ａの一部は化粧カバー２５ａ１から構成される。化粧カバー２５ａ１は、本体ケース２５に係止されており、化粧カバー２５ａ１に設けられた開口部からはセンサ２３の光透過面２３１及び吐出口部２１１に接続された吐出口キャップ２１２が露出しており、基端部は取付面Ｗ１と当接している。従って、洗浄液吐出装置２０の外観の大部分は本体ケース２５で覆われている。洗浄液吐出装置２０はノズルや本体に曲部を設けることなく構成され、取付面Ｗ１からの延出長さであるＬ寸法が小さく、直線的でコンパクトな外観を有する。
【００３８】
洗浄液供給管６０は、水石けん等の洗浄液を装置本体２０ａに供給する、例えばプラスチック製のチューブ等、可撓性を有する部材である。洗浄液供給管６０の下流側端部は、接続部材２２に形成された接続部２２３ａと係合することで接続部材２２と接続される。
【００３９】
空気供給管７０は、洗浄液の泡を形成するための空気を装置本体２０ａに供給する、例えばプラスチック製のチューブ等、可撓性を有する部材である。空気供給管７０の下流側端部は、継手７２を介し接続部２２３ｂと接続される。継手７２の一方は接続部２２３ｂと螺合することで接続部２２３ｂと接続され、継手７２の他方は空気供給管７０の内径に応じた凸部形状を有し、空気供給管７０の内周部と係合することで空気供給管７０と接続される。
なお、継手７２の一方の先端には逆止弁７３が設けられており、逆止弁７３により、洗浄液供給管６０から接続部材２２に供給される洗浄液の空気供給管７０への逆流が防止される。
【００４０】
図４に示す通り、固定部材本体２４１の内部には吐出口部材２１と接続部材２２との接続領域Ｃ１の大部分が配置されている。なお、接続領域Ｃ１とは、吐出口部材２１の奥側端部２１ｂと、接続部材２２の手前側端部２２ａとの間の領域を示す。
接続領域Ｃ１の少なくとも一部が固定部材本体２４１の内部に配置されることで、洗浄液吐出装置２０の構成部品を収容する空間として、固定部材本体２４１の内部の中空部分が有効に利用される。なお、本実施形態においてはＣ１の大部分が固定部材本体２４１の内部に配置されている。
【００４１】
また、接続領域Ｃ１の一部は取付面Ｗ１に当接する本体ケース２５の基端部２５ｂよりも奥側に配置される。この結果、洗浄液吐出装置２０の構成部品の一部を収容する空間として、取付面Ｗ１の奥側である壁Ｗの内部や、壁Ｗの裏側の空間が有効に利用される。
【００４２】
また、図５に示す通り、固定部材本体２４１の内部には吐出口部材２１の奥側端部２１ｂが配置される。この結果、吐出口部材２１や接続部材２２等の、洗浄液吐出装置２０の構成物品を収容する空間として、固定部材本体２４１の内部の中空部分が有効に利用される。
【００４３】
図４に示す通り、接続部材２２と洗浄液供給管６０との接続領域Ｃ２は、取付面Ｗ１よりも奥側に配置される。なお、接続領域Ｃ２とは、接続部材２２の奥側端部２２ｂ１と、洗浄液供給管６０の手前側端部６０ａとの間の領域を示す。
また、接続部材２２と空気供給管７０との接続領域Ｃ２ａは、取付面Ｗ１よりも奥側に配置される。なお、接続領域Ｃ２ａとは、接続部材２２の奥側端部２２ｂ２と、空気供給管７０の手前側端部７０ａとの間の領域を示す。
接続領域Ｃ２及びＣ２ａの少なくとも一部が取付面Ｗ１よりも奥側に配置されることで、接続領域Ｃ２及びＣ２ａを収容する空間として、取付面Ｗ１の奥側である壁Ｗの内部や、壁Ｗの裏側の空間が有効に利用される。
【００４４】
次に、本実施形態に係る洗浄液吐出装置２０の動作について図２を用いて説明する。
人が装置本体２０ａに手を近づけ、センサ２３の検知範囲内に人の手が入るとセンサ２３により検知信号が制御部８０に送信される。検知信号を受信した制御部８０は、制御信号を洗浄液ポンプ６２及びエアポンプ７１に送信する。制御信号を受信した洗浄液ポンプ６２は、洗浄液タンク６１に貯留された洗浄液を、洗浄液供給管６０を通じて装置本体２０ａに圧送して供給する。同様に制御信号を受信したエアポンプ７１は駆動部を駆動させることで空気を圧縮し、空気供給管７０を通じて空気を装置本体２０ａに供給する。装置本体２０ａに供給された洗浄液及び空気は装置本体２０ａ内部において混合され、泡となって吐出口部に接続された吐出口キャップ２１２の先端から吐出される。そして、所定時間が経過すると吐出が停止される。
【００４５】
以上説明した本実施形態に係る洗浄液吐出装置２０によれば、以下のような効果を奏する。
本実施形態に係る洗浄液吐出装置２０において、吐出口部材２１と接続部材２２との接続領域Ｃ１の少なくとも一部を固定部材２４の内部に配置した。これにより、接続領域Ｃ１を配置するための空間として、固定部材２４の内部の空間を有効に活用できる。この結果、洗浄液吐出装置２０の取付面Ｗ１からの延出長さであるＬ寸法を小さくすることができ、洗浄液吐出装置２０の外観を直線的でノズルや本体に曲部を有さない構成としながらも、コンパクトで意匠性に優れた外観とすることができる。
【００４６】
また、本実施形態に係る洗浄液吐出装置２０において、吐出口部材２１と接続部材２２との接続領域Ｃ１の少なくとも一部を本体ケース２５の基端２５ｂよりも奥側に配置した。これにより、接続領域Ｃ１を配置するための空間として、本体ケース２５の基端２５ｂよりも奥側である壁Ｗの内部や裏側の空間を有効活用できる。この結果、洗浄液吐出装置２０のＬ寸法を小さくすることができ、洗浄液吐出装置２０の外観をコンパクトで意匠性に優れた外観とすることができる。
【００４７】
また、本実施形態に係る洗浄液吐出装置２０において、接続部材２２と洗浄液供給管６０との接続領域Ｃ２の一部を取付面Ｗ１よりも壁側に配置した。これにより、接続領域Ｃ２を配置するための空間として壁Ｗの内部や裏側の空間を有効活用できる。この結果、洗浄液吐出装置２０のＬ寸法を小さくすることができ、洗浄液吐出装置２０の外観をコンパクトで意匠性に優れた外観とすることができる。
【００４８】
また、本実施形態に係る洗浄液吐出装置２０において、接続部材２２と空気供給管７０との接続領域Ｃ２ａの一部を取付面Ｗ１よりも壁側に配置した。これにより、接続領域Ｃ２ａを配置するための空間として壁Ｗの内部や裏側の空間を有効活用できる。この結果、洗浄液吐出装置２０のＬ寸法を小さくすることができ、洗浄液吐出装置２０の外観をコンパクトで意匠性に優れた外観とすることができる。
【００４９】
本発明は上記実施形態に限定されるものではなく、本発明の目的を達成できる範囲での変形、改良等は本発明に含まれる。
例えば、上記実施形態においては吐出口部材２１と接続部材２２との接続領域Ｃ１の大部分を固定部材２４の内部に配置するように構成したが、これに限定されず、吐出口部材２１と接続部材２２との接続領域Ｃ１の一部が固定部材２４の内部に配置されるものであってもよい。
【００５０】
また、上記実施形態においては洗浄液吐出装置２０を壁Ｗにおける取付面Ｗ１に固定した構成となっているが、これに限定されず、洗浄液吐出装置２０は台上に固定された、いわゆる台付のものであってもよい。
【００５１】
また、上記実施形態においては洗浄液吐出装置２０を洗浄液の泡を形成するための空気を供給する空気供給管７０を備えるものとして構成したが、これに限定されず、洗浄液吐出装置２０は空気供給管７０を備えずに構成してもよい。
【００５２】
また、上記実施形態においては洗浄液吐出装置２０はセンサ２３を備え、物体を検知して自動で洗浄液を吐出する構成となっているが、これに限定されず、洗浄液吐出装置２０は手動操作により洗浄液の吐出動作を行うものであってもよい。
【００５３】
また、上記実施形態においては複数の洗浄液吐出装置２０が単一の洗浄液タンク６１から洗浄液の供給を受ける構成となっているが、これに限定されず、単一の洗浄液吐出装置が単一の洗浄液タンクから洗浄液の供給を受けるように構成してもよい。
【００５４】
また、上記実施形態においては液体吐出装置を円筒状の本体部を有する洗浄液吐出装置２０として説明したが、これに限定されず、液体吐出装置の本体部は、例えば角筒状であってもよい。
【符号の説明】
【００５５】
２０    洗浄液吐出装置
２０ａ  装置本体
２１    吐出口部材
２１１  吐出口部
２２    接続部材
２４    固定部材
６０    洗浄液供給管
Ｗ１    取付面
Ｃ１    接続領域
【図１】
0006698363.tif 000002
【図２】
0006698363.tif 000003
【図３】
0006698363.tif 000004
【図４】
0006698363.tif 000005
【図５】
0006698363.tif 000006